(57)【要約】【課題】基板部品に動作不良を生じ難くすることができ、かつ構成も簡素で済む通信機及び電子キーを提供する。【解決手段】電子キー１は、基板７の防水を確保する防水部１０を備える。防水部１０は、例えばシート状のゴムパッキンからなる。防水部１０には、ボタン３の自重による落ち込みを防止するために、撓み可能なボタン支持部１１が突設されている。ボタン支持部１１は、例えば板状を呈する支持片１３と、支持片１３の根元に形成された隆起部１４とを備える。支持片１３は、ボタン３を裏面から支持するとともに、ボタン３の押し操作時には撓んで、ボタン３の下降を許容する。隆起部１４は、基板７と防水部１０との間の距離を確保して、ボタン操作時において防水部１０を回路素子９に接触し難くする。【選択図】図２
2015007332.tif 000002
【特許請求の範囲】
【請求項１】
ボタンと基板との間に当該基板の少なくとも一部を覆う防水部が介装され、前記ボタンの操作時、前記防水部を介して前記基板のスイッチ部が操作されて、電波が送信される通信機において、
前記防水部には、前記ボタンを裏面から支持可能で、かつ当該ボタンの操作荷重に対して撓むことが可能なボタン支持部が設けられている
ことを特徴とする通信機。
【請求項２】
前記ボタン支持部の根元は、前記スイッチ部に当接されている
ことを特徴とする請求項１に記載の通信機。
【請求項３】
前記防水部において前記ボタン支持部の根元には、前記基板との間の距離を確保する隆起部が形成されている
ことを特徴とする請求項１又は２に記載の通信機。
【請求項４】
前記ボタン支持部は、前記スイッチ部を中央にして両側に一対設けられている
ことを特徴とする請求項１〜３のうちいずれか一項に記載の通信機。
【請求項５】
前記ボタン支持部は、板状に形成されている
ことを特徴とする請求項１〜４のうちいずれか一項に記載の通信機。
【請求項６】
ボタンと基板との間に当該基板の少なくとも一部を覆う防水部が介装され、前記ボタンの操作時、前記防水部を介して前記基板のスイッチ部が操作されて、電子キーＩＤが送信される電子キーにおいて、
前記防水部には、前記ボタンを裏面から支持可能で、かつ当該ボタンの操作荷重に対して撓むことが可能なボタン支持部が設けられている
ことを特徴とする電子キー。
【発明の詳細な説明】
【技術分野】
【０００１】
本発明は、ボタン操作によって電波を無線により送信可能な通信機及び電子キーに関する。
【背景技術】
【０００２】
従来、ボタンの遠隔操作によって車両を作動可能な電子キーが周知である。この種の電子キーには、ボタンと基板との間に、基板を防水するシート状の防水カバーが設けられているものがある（特許文献１，２等参照）。この構造の場合、ボタンが押し操作されたとき、ボタンとともに防水カバーが下方に撓み、防水カバーによって基板のスイッチがオンされることにより、ボタン操作を検出する。
【先行技術文献】
【特許文献】
【０００３】
【特許文献１】特開２００４−１５３５２６号公報
【特許文献２】特開２０１０−１８９９７１号公報
【発明の概要】
【発明が解決しようとする課題】
【０００４】
ところで、図６（ａ）に示すように、防水カバーとしてのゴムパッキン８１に突状の柱部８２を設けて、ボタン８３を裏面側から支持する構造が考案されている。これは、ボタン８３が自重により落ち込んで見栄えが悪くなってしまうことを防ぐためである。しかし、この構造の場合、図６（ｂ）に示すように、ボタン８３が押し操作されると、柱部８２が押されて、ゴムパッキン８１の基板側の面８４が大きく下がるので、ゴムパッキン８１の基板側の面８４が基板８５の回路素子８６に接触する可能性があった。よって、ゴムパッキン８１が勢いよく直に接触することによる回路素子８６の動作不良や、静電気による回路素子８６の動作不良などの可能性があった。
【０００５】
図７に示すように、ボタン８３を裏面から支持する他の構造としては、スポンジ材８７をケースに貼り付けて、スポンジ材８７によりボタン８３を裏面側から支持する構造も想定される。しかし、この構造の場合、部品点数増加によるコスト増、組付工数増加によるコスト増、部品組み付け忘れ、部品組み付け不良等の種々の問題が生じる可能性があった。
【０００６】
本発明の目的は、基板部品に動作不良を生じ難くすることができ、かつ構成も簡素で済む通信機及び電子キーを提供することにある。
【課題を解決するための手段】
【０００７】
前記問題点を解決する通信機は、ボタンと基板との間に当該基板の少なくとも一部を覆う防水部が介装され、前記ボタンの操作時、前記防水部を介して前記基板のスイッチ部が操作されて、電波が送信される構成において、前記防水部には、前記ボタンを裏面から支持可能で、かつ当該ボタンの操作荷重に対して撓むことが可能なボタン支持部が設けられている。
【０００８】
本構成によれば、ボタンを防水部のボタン支持部によって裏面から持ち上げてボタンの自重による落ち込みをなくすにあたり、ボタン支持部を撓み可能な形状とした。そして、ボタンが操作されたときには、ボタンの押し方向への移動が、ボタン支持部が撓むことにより許容される。よって、防水部自体が大きく下がることがないので、防水部と基板部品とが接触し難くなり、基板部品の動作不良防止に有利となる。また、ボタン支持部は防水部に一体形成されるので、ボタン支持部を設けるにあたり、部品点数が増えることもない。
【０００９】
前記通信機において、前記ボタン支持部の根元は、前記スイッチ部に当接されていることが好ましい。この構成によれば、ボタン支持部の根元がスイッチ部によって支持されるので、ボタン操作時、ボタン支持部が下がり難くなる。よって、ボタン操作時における防水部と基板部品との接触防止に一層有利となる。
【００１０】
前記通信機において、前記防水部において前記ボタン支持部の根元には、前記基板との間の距離を確保する隆起部が形成されていることが好ましい。この構成によれば、隆起部において基板と防水部との距離が確保されるので、ボタン操作時における防水部と基板部品との接触回避に一層有利となる。
【００１１】
前記通信機において、前記ボタン支持部は、前記スイッチ部を中央にして両側に一対設けられていることが好ましい。この構成によれば、スイッチ部を一対のボタン支持部によって両側から支えるので、ボタンを安定支持することが可能となる。
【００１２】
前記通信機において、前記ボタン支持部は、板状に形成されていることが好ましい。この構成によれば、ボタン支持部を簡素な板状としたので、ボタン支持部を簡単に形成することが可能となる。
【００１３】
前記問題点を解決する電子キーは、ボタンと基板との間に当該基板の少なくとも一部を覆う防水部が介装され、前記ボタンの操作時、前記防水部を介して前記基板のスイッチ部が操作されて、電子キーＩＤが送信される構成において、前記防水部には、前記ボタンを裏面から支持可能で、かつ当該ボタンの操作荷重に対して撓むことが可能なボタン支持部が設けられていることが好ましい。
【００１４】
本構成によれば、防水部自体が大きく下がることがないので、防水部と基板部品とを接触し難くすることが可能となり、基板部品の動作不良防止に有利となる。また、ボタン支持部は防水部に一体形成されるので、ボタン支持部を設けるにあたり、部品点数が増えることもない。
【発明の効果】
【００１５】
本発明によれば、基板部品に動作不良を生じ難くすることができ、かつ構成も簡素で済む。
【図面の簡単な説明】
【００１６】
【図１】一実施形態の電子キーの斜視図。
【図２】電子キーの分解斜視図。
【図３】ボタン支持部の拡大斜視図。
【図４】ボタンが操作されていないときの電子キーの断面図。
【図５】ボタンが操作されたときの電子キーの断面図。
【図６】対策前の電子キーであり、（ａ）が全体の拡大図、（ｂ）が部分拡大図。
【図７】対策前の他の電子キーの断面図。
【発明を実施するための形態】
【００１７】
以下、通信機及び電子キーの一実施形態を図１〜図５に従って説明する。
図１に示すように、電子キー１には、ケース２が設けられ、ケース２の一方側の面（同図の上面）に複数のボタン３が設けられている。ケース２は、例えば樹脂製であり、略直方体状をなす。ボタン３は、ケース２の奥行き方向（図１のＸ軸方向）に沿って並設されている。ボタン３は、例えばモーメンタリ式にプッシュボタンからなる。ケース２の一方側の面において、隣同士の各ボタン３の間には、並設されるボタン３を区切るセパレータ４が設けられている。なお、電子キー１が通信機の一例である。
【００１８】
ボタン３には、例えば車両ドアを施錠する際に操作するロックボタン、車両ドアを解錠する際に操作するアンロックボタン、ホーンを連続的に吹鳴させる際に操作するパニックボタンなどがある。電子キー１でボタン３が操作されると、その操作ボタンに応じたコマンドと、電子キー１のメモリ（図示略）に書き込み保存された電子キーＩＤとを含むＩＤ電波Ｓidが、例えばＵＨＦ（Ultra High Frequency）帯の電波によって電子キー１から送信される。
【００１９】
図２に示すように、ケース２は、アッパーケース５とロアケース６とを組み付けてなる。ケース２の内部には、電子キー１の各種電気素子が実装される基板７が収納されている。基板７には、ボタン３の操作を検出するスイッチ部８や、１つ又は複数の回路素子９などが実装されている。スイッチ部８は、例えばタクトスイッチであることが好ましい。回路素子９は、例えばＩＣ、ダイオード、コンデンサ等からなる。ボタン３と基板７との間には、基板７の防水を確保する防水部１０が介装されている。防水部１０は、例えば略シート状のゴムパッキンが好ましい。ゴムパッキンは、例えばシリコンゴム等の樹脂により形成されている。ゴムパッキンは、基板７の全面を覆う形状に形成されている。なお、回路素子９が基板部品の一例である。
【００２０】
防水部１０には、ボタン３を裏面から支持しつつ、ボタン３の操作荷重に対して撓むことが可能なボタン支持部１１が複数設けられている。これらボタン支持部１１は、防水部１０において、主部１２よりも基板７の反対側に突出するように形成されている。ボタン支持部１１は、ケース２の幅方向（図２のＹ軸方向）に並ぶ２つが組をなして、１つのボタン３を裏面から支持する。ボタン支持部１１は、４つあるボタン３に合わせて４組、計８つ形成されている。同一組の一対のボタン支持部１１は、ケース２の幅方向に沿って左右対称に配置されている。
【００２１】
図３に示すように、ボタン支持部１１は、ボタン３の裏面に当接する箇所となる支持片１３と、基板７及び防水部１０の間の距離を確保する隆起部１４とを備える。支持片１３は、例えば板状に形成され、延設方向がボタン３の操作方向（図３の矢印Ｚ１方向）に対して傾いて形成されている。支持片１３は、根元１５が隆起部１４の端部分に一体形成されている。隆起部１４は、防水部１０の基材を基板７の反対側に隆起させることにより、例えば椀状に形成されている。
【００２２】
図４に示すように、ボタン３の裏面には、スイッチ部８を押す箇所となる突起１６が突設されている。突起１６は、防水部１０において、組をなす一対のボタン支持部１１の間の中間部１７に当接して配置されている。突起１６は、中間部１７を介してスイッチ部８に当接されている。
【００２３】
ボタン支持部１１の根元１５は、スイッチ部８に当接されることにより、スイッチ部８に支持されている。隆起部１４と基板７との間の距離Ｌ１は、防水部１０の主部１２と基板７との間の距離Ｌ２よりも長く形成されている。即ち、防水部１０は、隆起部１４において基板７から離間するように形成されている。回路素子９は、ケース２の厚さ方向（図４のＺ軸方向）において、隆起部１４の下に配置されている。ボタン３は、ボタン支持部１１の支持片１３によって裏面から押し上げられることにより、初期位置で保持される。
【００２４】
ボタン３の裏面には、一対の爪部１８が形成され、これら爪部１８がケース２の一対の段状部１９に係止されている。一対の爪部１８は、ケース２の幅方向に配置されている。ボタン３は、爪部１８及び段状部１９の係止により、ボタン３の操作時の往復移動と、ケース２からの抜け止めとが許容されている。防水部１０の周縁一帯には、フランジ部２０が設けられ、フランジ部２０がアッパーケース５及びロアケース６によって挟まれることにより、組付時において位置決め固定されている。
【００２５】
次に、図４及び図５を用いて、ボタン支持部１１の作用を説明する。
図４に示すように、ボタン３が押し操作されていないとき、防水部１０の支持片１３が自ら真っ直ぐに戻ろうとする変形の戻り荷重により、ボタン３を裏面から押し上げる。このため、ボタン３が自重によって落ち込まず、初期位置が維持される。よって、ボタン３がケース２の外面と面一となり、見栄えがよい。
【００２６】
図５に示すように、ボタン３が押し操作されると、防水部１０の支持片１３が撓む（座屈する）ことにより、ボタン３の押し操作が許容される。このように、ボタン３の押し操作時は、板状の支持片１３が撓むので、防水部１０の裏面（天面）２１が大きく基板７側に下がることがない。よって、防水部１０が基板７の回路素子９に接触し難い。また、ボタン３の押し操作時に、仮に防水部１０が基板７側に下がる変形をとったとしても、このときは主として隆起部１４が下がる変形をとるので、防水部１０と回路素子９との接触の回避に一層有利である。
【００２７】
ボタン３が最下点まで押されると、突起１６が防水部１０の中間部１７を介してスイッチ部８の可動部を押し、スイッチ部８をオンする。電子キー１は、スイッチ部８がオンされたことを確認すると、ＩＤ電波Ｓidを送信する。車両は、ＩＤ電波Ｓidを受信すると、ＩＤ電波Ｓidに含まれる電子キーＩＤを照合し、ＩＤ照合が成立することを確認すると、同じＩＤ電波Ｓidに含まれるコマンドに基づく車載機器を作動させる。ボタン３から指が離されると、スイッチ部８の反力により、ボタン３が元の初期位置に戻る。
【００２８】
本実施形態の構成によれば、以下に記載の効果を得ることができる。
（１）ボタン３の自重による落ち込みをなくすにあたり、防水部１０に撓み可能な形状のボタン支持部１１を設けた。そして、ボタン３が押し操作されたときには、ボタン３の押し操作がボタン支持部１１の撓みにより許容される。よって、ボタン３が押し操作されても、防水部１０自体が大きく下がることがないので、防水部１０と回路素子９とが接触し難くなり、回路素子９の動作不良防止に有利となる。また、ボタン支持部１１は防水部１０に一体形成されるので、ボタン支持部１１を設けるにあたり、部品点数が増えることもない。
【００２９】
（２）ボタン支持部１１の根元１５がスイッチ部８によって支持されるので、ボタン３の押し操作時、防水部１０（隆起部１４の部分）が簡単に基板７側に変形してしまうことがない。よって、ボタン操作時における防水部１０と回路素子９との接触防止に一層有利となる。
【００３０】
（３）支持片１３の根元１５に隆起部１４を形成し、防水部１０と回路素子９との間の距離Ｌ１を確保する。よって、ボタン操作時における防水部１０と回路素子９との接触防止に一層有利となる。
【００３１】
（４）ボタン支持部１１は、スイッチ部８を挟むように一対設けられる。よって、スイッチ部８を一対のボタン支持部１１によって両側から支えるので、ボタン３を安定支持することができる。
【００３２】
（５）ボタン支持部１１を簡素な板状としたので、防水部１０にボタン支持部１１を加工形成するにあたり、簡単に製造することができる。
なお、実施形態はこれまでに述べた構成に限らず、以下の態様に変更してもよい。
【００３３】
・スイッチ部８は、タクトスイッチ以外の種々のスイッチに変更可能である。
・スイッチ部８は、センサを使用してもよい。
・防水部１０は、基板７の一部のみを覆う大きさのものでもよい。
【００３４】
・防水部１０は、シート状に限らず、基板７を防水できれば、種々の形状が採用可能である。
・防水部１０は、樹脂製に限らず、他の材質から形成されてもよい。
【００３５】
・支持片１３は、ボタン３の操作方向に対して平行に延びる延設方向をとってもよい。
・支持片１３の形状は、例えば湾曲状、複数の折り返し形状など、種々の形状が採用可能である。
【００３６】
・ボタン支持部１１は、例えばボタン３が１つのみであれば、１組のみ設けられてもよい。
・ボタン支持部１１は、複数形成されることに限らず、１つのみでもよい。
【００３７】
・ボタン支持部１１は、少なくとも支持片１３のみ有する形状をとっていればよい。
・ボタン３は、押し操作式に限らず、例えばスライド操作式など他の形式に変更可能である。
【００３８】
・本例のボタン３の支持構造は、電子キー１に採用されることに限らず、種々の機器や装置に適用可能である。
【符号の説明】
【００３９】
１…通信機としての電子キー、３…ボタン、７…基板、８…スイッチ部、１０…防水部、１１…ボタン支持部、１３…支持片、１４…隆起部、１５…根元、Ｓid…電波（ＩＤ電波）。
【図１】
2015007332.tif 000003
【図２】
2015007332.tif 000004
【図３】
2015007332.tif 000005
【図４】
2015007332.tif 000006
【図５】
2015007332.tif 000007
【図６】
2015007332.tif 000008
【図７】
2015007332.tif 000009